(57)【要約】      （修正有）【課題】購買者へのアピール度を向上したズボン吊具を提供する。【解決手段】ズボン吊具１が、ハンガー２と包装体３を有し、ハンガー２が、本体２０と、本体２０の上方に配置した上部フック２２と、本体２０の下方に形成したズボンフック２３と、本体２０に形成した切欠き部を有し、包装体３が、上部フック２２を通す貫通孔と第１ボタン３４ａを有する上部３０と、第１ボタン３４ａに対応する第２ボタン３４ｂを有する中部３１と、下部３２を有し、貫通孔に上部フック２２を通し、第１ボタン３４ａ及び第２ボタン３４ｂを、切欠き部を介して連結し、少なくとも中部３１を表示部３３とした。【選択図】図４
0003171013.tif 000002
【実用新案登録請求の範囲】
【請求項１】
本体と、前記本体の上部に配置した上部フックと、前記本体の下方に形成したズボンフックを有するズボン吊具において、
前記ズボン吊具が、ハンガーと包装体を有し、
前記ハンガーが、本体と、前記本体の上方に配置した上部フックと、前記本体の下方に形成したズボンフックと、前記本体に形成した切欠き部を有し、
前記包装体が、前記上部フックを通す貫通孔と第１ボタンを有する上部と、前記第１ボタンに対応する第２ボタンを有する中部と、下部を有し、
前記貫通孔に前記上部フックを通し、前記第１ボタン及び前記第２ボタンを、前記切欠き部を介して連結し、少なくとも前記中部を表示部としたことを特徴とするズボン吊具。
【請求項２】
前記下部が、開口して形成したボタン穴を有しており、
前記下部を上方に折り返して、前記第１ボタン及び前記第２ボタンを、前記ボタン穴及び切欠き部を介して連結し、前記中部が表示部を形成していることを特徴とするズボン吊具。
【考案の詳細な説明】
【技術分野】
【０００１】
本考案は、ズボンを取り下げて、販売展示等を行うズボン吊具に関するものである。
【背景技術】
【０００２】
被服の販売店等でズボンを販売する際に使用するハンガー類であって、ズボンの着脱が簡単なズボン吊具が開示されている（例えば特許文献１参照）。図６に、特許文献１に記載のズボン吊具の１例を示す。このズボン吊具１Ｘは、板状の本体２０Ｘと、本体２０Ｘに連結ピン２１を介して傾動自在に連結した上部フック２２を有している。本体２０Ｘは、ズボンのベルト通しに引っ掛けてズボンを吊るすズボンフック２３と、盗難防止ブザーのケーブルを通す取付穴２５と、ズボンのブランド等を表示する表示部３３Ｘを有している。この表示部３３Ｘには、ブランド名等を印刷したシールを貼り付けることができる。また、表示部３３Xにスリットを形成し、このスリットにブランド名等を印刷したプラスチックプレート等を差し込む構成とすることもできる。なお、白抜き矢印Ｓは、購買者の視線の方向（図６紙面手前奥方向）を示している。
【０００３】
従来のズボン吊具１Ｘは、ズボンフック２３を有する構成により、ズボンの着脱が容易となっていた。また、表示部３３Ｘにブランド名等を表示する機能により、ズボンのブランド等を宣伝しながら販売を行うことができていた。なお、ズボン吊具１Ｘは、表示部３３Ｘのシール又はプレートの交換により、異なるブランドのズボンに対して転用することができていた。
【０００４】
しかしながら、上記のズボン吊具１Ｘは、いくつかの問題点を有している。第１に、表示部３３Ｘの面積が小さく、購買者へのアピール度が低いという問題を有している。特に、店舗等で複数の異なるブランドを並べて展示する場合は、個々のブランドの差別化が困難となる。
【０００５】
第２に、表示部３３Ｘにプレートを設置する場合、意図しない状態でプレートが落下してしまうという問題を有している。特に、購買者が商品を手に取る際に、プレートが落下するような事態は望ましくない。
【０００６】
第３に、表示部３３Ｘにシールを設置する場合、シールの交換が困難であるという問題を有している。このシールを交換する際、ズボン吊具１Ｘがシールののりで汚れてしまうからである。
【先行技術文献】
【特許文献】
【０００７】
【特許文献１】登録実用新案第３１４８４１７号公報
【考案の概要】
【考案が解決しようとする課題】
【０００８】
本考案は、上記の状況を鑑みてなされたものであり、その目的は、ズボンを吊り下げて展示するズボン吊具において、購買者へのアピール度を向上したズボン吊具を提供することである。更に、表示部におけるブランド名等の変更が容易で、且つ、表示部の意図しない脱落等が発生しないズボン吊具を提供することである。
【課題を解決するための手段】
【０００９】
上記の目的を達成するための本考案に係るズボン吊具は、本体と、前記本体の上部に配
置した上部フックと、前記本体の下方に形成したズボンフックを有するズボン吊具において、前記ズボン吊具が、ハンガーと包装体を有し、前記ハンガーが、本体と、前記本体の上方に配置した上部フックと、前記本体の下方に形成したズボンフックと、前記本体に形成した切欠き部を有し、前記包装体が、前記上部フックを通す貫通孔と第１ボタンを有する上部と、前記第１ボタンに対応する第２ボタンを有する中部と、下部を有し、前記貫通孔に前記上部フックを通し、前記第１ボタン及び前記第２ボタンを、前記切欠き部を介して連結し、少なくとも前記中部を表示部としたことを特徴とする。
【００１０】
この構成により、表示部の大型化を実現し、購買者へのアピール度を向上することができる。これは、包装体を表示部として利用できるためである。また、表示部の落下等を防止することができる。更に、表示部の変更が容易となる。
【００１１】
上記のズボン吊具において、前記下部が、開口して形成したボタン穴を有しており、前記下部を上方に折り返して、前記第１ボタン及び前記第２ボタンを、前記ボタン穴及び切欠き部を介して連結し、前記中部が表示部を形成していることを特徴とする。この構成により、上記の作用効果に加えて、包装体の下部を上方に折り返して使用することができ、購買者へ異なる見せ方をすることができる。
【考案の効果】
【００１２】
本考案に係るズボン吊具によれば、購買者へのアピール度を向上したズボン吊具を提供することができる。更に、表示部におけるブランド名等の変更が容易で、且つ、表示部の意図しない脱落等が発生しないズボン吊具を提供することができる。
【図面の簡単な説明】
【００１３】
【図１】本考案に係る実施の形態のズボン吊具の概略を示した図である。
【図２】本考案に係る実施の形態のズボン吊具のハンガーの概略を示した図である。
【図３】本考案に係る実施の形態のズボン吊具の包装体の概略を示した図である。
【図４】本考案に係る実施の形態のズボン吊具の概略を示した図である。
【図５】包装体の異なる使用状態の概略を示した図である。
【図６】従来のズボン吊具を示した図である。
【考案を実施するための形態】
【００１４】
以下、本考案に係る実施の形態のズボン吊具について、図面を参照しながら説明する。図１に、ズボン吊具１の正面図を示す。ズボン吊具１は、ハンガー２と、包装体３を有している。ハンガー２は、上部フック２２と、ズボンフック２３を有している。包装体３は、ブランド名等を印字することができる大きな表示部３３を有している。また、包装体３は、例えば合成樹脂製のシートの下端及び両側を熱圧着して形成した袋状とすることができる。このハンガー２と包装体３は、包装体３に形成した貫通孔（図示しない）に、ハンガー２の上部フック２２を貫通させて、ボタン３４により固定して組み合わせている。ここで、白抜き矢印Ｓは、購買者の視線の方向（図１紙面手前から奥）を示している。
【００１５】
図２に、本考案に係る実施の形態のズボン吊具１のハンガー２の正面図を示す。ハンガー２は、本体２０（例えば板状）と、本体２０に連結ピン２１を介して傾動自在に連結した上部フック２２と、ズボンを吊り下げるズボンフック２３と、盗難防止ブザーのケーブルを貫通させる取付穴２５を有している。更に、本体２０は、本体２０の正面から背面に貫通する切欠き部２４を有している。この切欠き部２４は、包装体３に設置したボタン３４に対応した位置に形成している。なお、連結ピン２１を設置せずに、本体２０と上部フック２２を一体に形成してもよい。
【００１６】
図３Ａに、本考案に係る実施の形態のズボン吊具１の包装体３の背面図を示し、図３Ｂ
に包装体３のＰＰ断面図を示す。包装体３は、１枚のシートで形成された上部３０と、２枚のシートで形成された中部３１及び下部３２を有している。上部３０は、ハンガー２の上部フック２２を通す貫通孔３５と、ボタン雌（第１ボタン）３４ａを有している。中部３１は、ボタン雄（第２ボタン）３４ｂを有している。下部３２は、下部３２を上方に折り返した際に、ボタン３４（ボタン雌３４ａ及びボタン雄３４ｂ）と対応する位置に形成したボタン穴３７と、マチ３６を有している。このボタン穴３７は、包装体３の正面から背面（図３紙面奥から手前）にかけて貫通して形成した開口部である。
【００１７】
なお、ボタン３４は、上部３０にボタン雄３４ｂを設置し、中部３１にボタン雌３４ａを設置してもよい。また、貫通孔３５は、中部３１に形成してもよい。更に、上部３０、中部３１及び下部３２は、便宜上、包装体３を折り返す折り目で区別しているが、特に明白な境界があるわけではない。
【００１８】
図４Ａに、ハンガー２に包装体３を設置したズボン吊具１の正面図を示し、図４Ｂに、ＱＱ断面図を示す。この図面を参照しながら、ハンガー２に包装体３を設置する方法について説明する。まず、包装体３の下部３２を、中部３１と重なるように上方に折り曲げる。その後、上部３１に形成した貫通孔３５に、ハンガー２の上部フック２２を貫通させる。上部３０をハンガー２の背面に折り返し、中部３１に設置したボタン雄３４ｂと、上部３０のボタン雌３４ａを結合させる。このとき、ボタン雄３４ｂは、下部３２のボタン穴３７と、ハンガー２の本体２０に形成した切欠き部２４を貫通して、ボタン雌３４ａと連結される。以上により、ハンガー２と包装体３の連結を完了する。ここで、ズボン吊具１は、正面から、包装体３の中部３１、下部３２、ハンガー２の本体２０、包装体３の上部３０の順番に重なるように組み合わされる。
【００１９】
上記の構成により、以下の作用効果を得ることができる。第１に、表示部３１の大型化を実現し、購買者へのアピール度を向上することができる。これは、包装体３の中部３１が表示部３３となるため、表示部３３を容易に大型化することができる。つまり、ブランド名や使用上の注意等を印刷したプラスチック製の包装体３を生産し、ハンガー２の大きさ等の制約を受けずに、ブランド名等の表示として使用することができる。
【００２０】
第２に、表示部３３の落下等を防止することができる。これは、包装体３が、貫通孔３５（図３参照）を介してハンガー２と連結されており、落下する恐れがなくなるためである。
【００２１】
第３に、表示部３３の交換を容易に行うことができる。これは、包装体３をハンガー２に掛け替えるのみで、表示部３３を変更することができるためである。また、包装体３の交換の際には、ハンガー２が汚れたりすることもない。
【００２２】
なお、下部３２を上方に折り返さずに使用してもよい。この場合、表示部３３を更に大型化することができる。これは、中部３１及び下部３２が、表示部３３として機能するためである。
【００２３】
図５に、包装体３の異なる使用状態を示す。包装体３は、ハンガー２と分離可能に形成しており、且つ、袋状に形成しているため、単独で使用することもできる。図５Ａに、ハンガー２を使用せずに、包装体３に商品（ズボン）４を丸めて入れ、棚等の上に陳列した状態の背面図を示す。商品を従来とは異なる形態で展示できるため、購買者へのアピール度を向上することができる。なお、購入後、包装体３に入れたズボンはそのまま持ち帰ることができる。
【００２４】
図５Ｂは、小物等を包装体３に入れ、棚等の上に陳列した状態の正面図を示す。この様
に、ズボンはハンガー２に掛けて展示し、ズボンに付属する小物等を包装体３に入れて展示することもできる。以上より、本考案のズボン吊具１は、多種の方法で商品を展示することができるため、購買者へのアピール度を高めることができる。
【符号の説明】
【００２５】
１     ズボン吊具
２     ハンガー
３     包装体
２０   本体
２２   上部フック
２３   ズボンフック
２４   切欠き部
３０   上部
３１   中部
３２   下部
３３   表示部
３４   ボタン
３４ａ 第１ボタン（ボタン雌）
３４ｂ 第２ボタン（ボタン雄）
３５   貫通孔
３７   ボタン穴
【図１】
0003171013.tif 000003
【図２】
0003171013.tif 000004
【図３】
0003171013.tif 000005
【図４】
0003171013.tif 000006
【図５】
0003171013.tif 000007
【図６】
0003171013.tif 000008
【手続補正書】
【提出日】平成23年8月5日(2011.8.5)
【手続補正１】
【補正対象書類名】実用新案登録請求の範囲
【補正対象項目名】全文
【補正方法】変更
【補正の内容】
【実用新案登録請求の範囲】
【請求項１】
本体と、前記本体の上部に配置した上部フックと、前記本体の下方に形成したズボンフックを有するズボン吊具において、
前記ズボン吊具が、ハンガーと包装体を有し、
前記ハンガーが、本体と、前記本体の上方に配置した上部フックと、前記本体の下方に形成したズボンフックと、前記本体に形成した切欠き部を有し、
前記包装体が、前記上部フックを通す貫通孔と第１ボタンを有する上部と、前記第１ボタンに対応する第２ボタンを有する中部と、下部を有し、
前記貫通孔に前記上部フックを通し、前記第１ボタン及び前記第２ボタンを、前記切欠き部を介して連結し、少なくとも前記中部を表示部としたことを特徴とするズボン吊具。
【請求項２】
前記下部が、開口して形成したボタン穴を有しており、
前記下部を上方に折り返して、前記第１ボタン及び前記第２ボタンを、前記ボタン穴及び切欠き部を介して連結し、前記中部が表示部を形成していることを特徴とする請求項１に記載のズボン吊具。